(57)【要約】【課題】電気光学装置や電子機器に組み入れられる前に、接続抵抗測定を行い、長期信頼性の予測ができる電気光学パネル、電気光学パネルの表示方法、電気光学装置、および電子機器をそれぞれ提供する。【解決手段】回路基板と、回路基板上に設けられた配線パターンと、を含む電気光学パネル、電気光学パネルの表示方法、電気光学装置、および電子機器において、配線パターンと電気接続された駆動用ＩＣを有するとともに、当該駆動用ＩＣの内部には、配線パターンと駆動用ＩＣとの間の接続抵抗を測定する測定部が備えてあり、測定部によって、接続抵抗測定端子を介して、配線パターンと、駆動用ＩＣとの間の接続抵抗を測定し、所定値以上の場合には、接続抵抗の異常が検知される。【選択図】  図１
2004219155.tif 000002
【特許請求の範囲】
【請求項１】
回路基板と、当該回路基板上に設けられた配線パターンと、を含む電気光学パネルにおいて、
前記配線パターンと電気接続された駆動用ＩＣを有するとともに、
当該駆動用ＩＣの内部には、前記配線パターンと前記駆動用ＩＣとの間の接続抵抗を測定する測定部が備えてあることを特徴とする電気光学パネル。
【請求項２】
前記測定部が、接続抵抗測定端子を介して、前記接続抵抗を測定するための電気回路であることを特徴とする請求項１に記載の電気光学パネル。
【請求項３】
前記測定部を複数備え、それらによって測定された複数の接続抵抗に関する数値を平均化し、その平均化された接続抵抗に関する数値に基づいて、接続抵抗の異常が検知されることを特徴とする請求項１または２に記載の電気光学パネル。
【請求項４】
前記接続抵抗測定端子が、前記駆動用ＩＣの入出力端子の一部を兼用していることを特徴とする請求項１〜３のいずれか一項に記載の電気光学パネル。
【請求項５】
前記測定部が、接続抵抗測定回路と、前記駆動用ＩＣへの入出力回路との間の切替スイッチを備えていることを特徴とする請求項１〜４のいずれか一項に記載の電気光学パネル。
【請求項６】
前記測定部が温度依存性抵抗またはサーミスタを含んでおり、当該温度依存性抵抗またはサーミスタにおける抵抗値変化に対応させて、前記接続抵抗に関する数値を修正するための電気回路が備えてあることを特徴とする請求項１〜５のいずれか一項に記載の電気光学パネル。
【請求項７】
前記接続抵抗測定端子が、前記駆動用ＩＣの一つ以上の角部や両端部に設けてあることを特徴とする請求項１〜６のいずれか一項に記載の電気光学パネル。
【請求項８】
回路基板と、当該回路基板上に設けられた配線パターンと、を含む電気光学パネルの表示方法において、
前記配線パターンと電気接続された駆動用ＩＣを有するとともに、
ＯＬＥ＿ＬＩＮＫ１当該駆動用ＩＣの内部には、前記配線パターンと前記駆動用ＩＣとの間の接続抵抗を測定する測定部が備えてありＯＬＥ＿ＬＩＮＫ１、
当該測定部によって、接続抵抗測定端子を介して、配線パターンと、駆動用ＩＣとの間の接続抵抗を測定し、
測定された前記接続抵抗が、所定値未満の場合には電気光学パネルの画像表示部に画像が表示され、所定値以上の場合には接続抵抗の異常が検知されることを特徴とする電気光学パネルの表示方法。
【請求項９】
回路基板と、当該回路基板上に設けられた配線パターンと、を含む電気光学パネルを備えた電気光学装置において、
前記配線パターンと電気接続された駆動用ＩＣを有するとともに、
当該駆動用ＩＣの内部には、前記配線パターンと前記駆動用ＩＣとの間の接続抵抗を測定する測定部を含む電気光学パネルを備えることを特徴とする電気光学装置。
【請求項１０】
前記電気光学パネルは、前記駆動用ＩＣの内部に備えられた測定部を使用して測定される接続抵抗が、所定値以下であることを特徴とする請求項９に記載の電気光学装置。
【請求項１１】
請求項９または１０に記載された電気光学装置と、当該電気光学装置を制御するための制御手段と、を備えることを特徴とする電子機器。
【発明の詳細な説明】

【０００１】  
【発明の属する技術分野】
本発明は、電気光学パネル、電気光学パネルの表示方法、電気光学装置、および電子機器に関する。特に、長期信頼性の予測ができる電気光学パネル、そのような電気光学パネルの表示方法、そのような電気光学パネルを含む電気光学装置、および当該電気光学装置を含む電子機器に関する。
【０００２】
【従来の技術】
近年、強誘電性液晶（ＦＬＣ）、反強誘電性液晶（ＡＦＬＣ）、双安定型ツイステッドネマチック液晶（ＢＴＮ）といったメモリー性液晶等の電気光学材料を用いた光学表示装置が注目されている。これらの光学表示装置は、そのメモリー性により、大容量表示や低消費電力化が可能であるという利点を有していた。
このような従来の光学表示装置としては、例えば、図１０に示されるように、電気光学パネル４００と、その端部に電気接続された、特定のフレキシブル基板４２８と、を有する電気光学ユニット４０２が提案されている（例えば、特許文献１参照）。
より具体的には、フレキシブル基板４２８は、その表面に形成された表面側端子４８１と、裏面側に形成された裏面側端子と、これら表面側端子および裏面側端子を電気的に接続するためのスルーホールと、を備えており、さらに、裏面側端子は、電気光学パネル４００のパネル側端子に対して異方性導電膜によって電気的に接続され、表面側端子は、電子部品４９１が電気的に接続されている電気光学ユニット４０２が提案されている。
【０００３】
【特許文献１】
特開２０００−１４００１６号  （第４−５頁、図４）
【０００４】
【発明が解決しようとする課題】
しかしながら、特許文献１に開示された電気光学ユニットによれば、その段階での接続抵抗測定機構や測定回路に何ら言及されていないために、電気光学装置や電子機器に組み入れられた後に、動作不良が生じやすいという問題点が見られた。
また、特許文献１に開示された電気光学ユニットにおいては、電気光学装置や電子機器に組み入れられた後、長時間の耐久試験を実施した後に、はじめて動作不良が生じやすいという問題点が見られた。
もちろん、これらの動作不良が生じる電気光学装置や電子機器を見出すために、使用前において動作テストを行うものの、電気光学ユニットを、電気光学装置や電子機器に組み入れられた後にのみ測定することができるため、経済的に不利であるという問題点が見られた。
したがって、本発明は、このような問題点を解決するためになされたものであり、電気光学装置や電子機器に組み入れられる前に、接続抵抗測定を行い、長期信頼性の予測ができる電気光学パネル、電気光学パネルの表示方法、電気光学装置、および電子機器を提供することを目的とする。  
【０００５】
【課題を解決するための手段】
本発明によれば、回路基板と、当該回路基板上に設けられた配線パターンと、を含む電気光学パネルであって、前記配線パターンと電気接続された駆動用ＩＣを有するとともに、当該駆動用ＩＣの内部には、前記配線パターンと前記駆動用ＩＣとの間の接続抵抗を測定する測定部を含むことを特徴とする電気光学パネルが提供され、上述した問題点を解決することができる。
すなわち、このように構成することにより、電気光学装置や電子機器に組み入れられる前に、駆動用ＩＣと、回路基板上に設けられた配線パターンとの間の接続抵抗を容易かつ迅速に測定することができる。したがって、かかる接続抵抗測定の結果から、電気光学パネルを組み込んだ電気光学装置や電子機器の使用にあたっての長期信頼性を予測することができる。
【０００６】
また、本発明の電気光学パネルを構成するにあたり、測定部が、接続抵抗測定端子を介して、配線パターンと、駆動用ＩＣとの間の接続抵抗を測定するための電気回路であることが好ましい。
このように構成することにより、駆動用ＩＣと、回路基板上に設けられた配線パターンとの間の接続抵抗測定を正確かつ迅速に行うことができる。したがって、かかる接続抵抗測定により、電気光学パネルを含む電気光学装置や電子機器の使用上の長期信頼性をより正確に予測することができる。
【０００７】
また、本発明の電気光学パネルを構成するにあたり、測定部を複数備え、それらによって測定された複数の接続抵抗に関する数値を平均化し、その平均化された接続抵抗に関する数値に基づいて、接続抵抗の異常が検知されることが好ましい。
このように構成することにより、駆動用ＩＣと、回路基板上に設けられた配線パターンとの間に複数の接続不良箇所があったとしても、容易かつ迅速に認識することができる。また、平均化された接続抵抗に関する数値に基づいて、接続抵抗の異常が検知されるため、異常表示の精度をより向上させることができる。
【０００８】
また、本発明の電気光学パネルを構成するにあたり、接続抵抗測定端子が、駆動用ＩＣの入出力端子の一部を兼用していることが好ましい。
このように構成することにより、駆動用ＩＣの入出力端子数を減少させることなく、接続抵抗測定端子を設けることができる。
【０００９】
また、本発明の電気光学パネルを構成するにあたり、測定部が、接続抵抗測定回路と、駆動用ＩＣへの入出力回路との間の切替スイッチを備えていることが好ましい。
このように構成することにより、駆動用ＩＣの入出力端子数を減少させることなく、切替スイッチによって、接続抵抗測定端子にすることもできるし、駆動用ＩＣの入出力端子とすることもできる。また、このように構成することにより、駆動用ＩＣの入出力端子の全ての接続抵抗を容易かつ迅速に測定することができる。
【００１０】
また、本発明の電気光学パネルを構成するにあたり、測定部が温度依存性抵抗またはサーミスタを含んでおり、当該温度依存性抵抗またはサーミスタにおける抵抗値変化に対応させて、接続抵抗に関する数値を修正するための電気回路が備えてあることが好ましい。
このように構成することにより、環境温度が多少変化した場合であっても、駆動用ＩＣと、回路基板上に設けられた配線パターンとの間の接続抵抗を正確に測定することができる。したがって、接続不良箇所の存在を容易かつ迅速に認識することができる。
【００１１】
また、本発明の電気光学パネルを構成するにあたり、接続抵抗測定端子が、駆動用ＩＣの一つ以上の角部や両端部に設けてあることが好ましい。
このように構成することにより、駆動用ＩＣの大きさや内部回路配置を大きく変えることが無く、コンパクトな設計の測定部を有する駆動用ＩＣを提供することができる。
また、通常、応力歪の関係で、駆動用ＩＣの角部や両端部において、接続不良が生じ易いが、このような箇所に接続抵抗測定端子を備えることによって、より厳しい条件で、接続不良箇所の存在を認識することができる。
【００１２】
また、本発明の別の態様は、回路基板と、回路基板上に設けられた配線パターンと、を含む電気光学パネルの表示方法であって、配線パターンと電気接続された駆動用ＩＣを有するとともに、駆動用ＩＣの内部には、配線パターンを駆動用ＩＣとの間の接続抵抗を測定する測定部が備えてあり、当該測定部によって、接続抵抗測定端子を介して、配線パターンと、駆動用ＩＣとの間の接続抵抗を測定し、測定された接続抵抗が、所定値以下の場合には電気光学パネルの画像表示部に画像が表示され、所定値以上の場合には接続抵抗の異常が検知されることを特徴とする電気光学パネルの表示方法が提供され、上述した問題点を解決することができる。
すなわち、このように実施することにより、電気光学装置や電子機器に組み入れられる前に、駆動用ＩＣと、回路基板上に設けられた配線パターンとの間の接続抵抗を測定し、異常検知の有り無しから、電気光学パネルの良否を容易かつ迅速に判断することができる。したがって、電気光学パネルの不良品を、電気光学装置や電子機器に組み込むおそれが少なくなり、結果として、電気光学装置や電子機器の動作上の長期信頼性を得ることができる。
【００１３】
なお、本発明の電気光学パネルの表示方法を実施するに際して、測定部が、接続抵抗測定端子を介して、配線パターンと、駆動用ＩＣとの間の接続抵抗を測定するための電気回路であることが好ましい。
また、同様に、測定部が複数個備えてあり、それらによって測定された複数の接続抵抗に関する数値を平均化し、その平均化された接続抵抗に関する数値に基づいて、接続抵抗の異常が検知されることが好ましい。
また、同様に、測定部が温度依存性抵抗またはサーミスタを含んでおり、当該温度依存性抵抗またはサーミスタにおける抵抗値変化に対応させて、接続抵抗に関する数値を修正するための電気回路が備えてあることが好ましい。
さらに、同様に、接続抵抗測定端子が、駆動用ＩＣの一つ以上の角部や両端部に設けてあることが好ましい。
【００１４】
また、本発明の別の態様は、回路基板と、回路基板上に設けられた配線パターンと、を含む電気光学パネルを備えた電気光学装置において、配線パターンと電気接続された駆動用ＩＣを有するとともに、当該駆動用ＩＣの内部には、配線パターンと駆動用ＩＣとの間の接続抵抗を測定する測定部を含む電気光学パネルを備えることを特徴とする電気光学装置が提供され、上述した問題点を解決することができる。
すなわち、このように構成することにより、電気光学装置や電子機器に組み入れられる前に、駆動用ＩＣと、回路基板上に設けられた配線パターンとの間の接続抵抗を予め測定し、当該電気光学パネルの良否を判断してあるため、電気光学装置や電子機器に組み込んだ状態においても、動作上の長期信頼性を得ることができる。
【００１５】
また、本発明の電気光学装置を構成するにあたり、電気光学パネルは、駆動用ＩＣの内部に備えられた測定部を使用して測定される接続抵抗が、所定値以下であることが好ましい。
このように構成することにより、電気光学パネルの良否を、定量的に判断してあるため、電気光学装置や電子機器に組み込んだ状態において、動作上の長期信頼性を確実に得ることができる。
【００１６】
なお、本発明の電気光学装置を構成するに際して、電気光学パネルにおける測定部が、接続抵抗測定端子を介して、配線パターンと、駆動用ＩＣとの間の接続抵抗を測定するための電気回路であることが好ましい。
また、同様に、電気光学パネルにおける測定部が複数個備えてあり、それらによって測定された複数の接続抵抗に関する数値を平均化し、その平均化された接続抵抗に関する数値に基づいて、接続抵抗の異常が検知されることが好ましい。
また、同様に、電気光学パネルにおける測定部が温度依存性抵抗またはサーミスタを含んでおり、当該温度依存性抵抗またはサーミスタにおける抵抗値変化に対応させて、接続抵抗に関する数値を修正するための電気回路が備えてあることが好ましい。
さらに、同様に、電気光学パネルにおける接続抵抗測定端子が、駆動用ＩＣの一つ以上の角部や両端部に設けてあることが好ましい。
【００１７】
また、本発明の別の態様は、上述した電気光学装置と、当該電気光学装置を制御するための制御手段と、を備えることを特徴とする電子機器である。
すなわち、このように構成することにより、長期信頼性に優れた電気光学装置を含む電子機器を効率的に得ることができる。
【００１８】
【発明の実施の形態】
以下、図面を参照して、本発明の電気光学パネル、電気光学パネルの表示方法、電気光学装置、および電子機器に関する実施形態について具体的に説明する。
ただし、かかる実施形態は、本発明の一態様を示すものであり、この発明を限定するものではなく、本発明の範囲内で任意に変更することが可能である。
【００１９】
［第１実施形態］
第１実施形態は、図１（ａ）および（ｂ）に例示するように、回路基板１４と、当該回路基板１４上に設けられた配線パターン１５と、を含む電気光学パネル１０であって、配線パターン１５と電気接続された駆動用ＩＣ１８を有するとともに、当該駆動用ＩＣ１８の内部には、配線パターン１５と駆動用ＩＣ１８との間の接続抵抗を測定する測定部２１を含む電気光学パネル１０である。
以下、本発明の第１実施形態の電気光学パネルまたはその表示方法について、回路基板として、液晶パネルの一部を構成するカラーフィルタ基板を使用し、それに温度補償機能を有する駆動用ＩＣが搭載されている場合を例にとって説明する。
【００２０】
１．液晶パネルの基本構造
図２に示される液晶パネル２００は、いわゆる反射半透過方式のパッシブマトリクス型構造を有する液晶パネル２００であって、図示しないもののバックライトやフロントライト等の照明装置やケース体などを、必要に応じて、適宜取付けることが好ましい。
また、当該液晶パネル２００は、用途に応じて、パッシブマトリクス型構造のかわりに、反射半透過方式のアクティブマトリクス型構造、例えば、ＴＦＤ（Ｔｈｉｎ  Ｆｉｌｍ  Ｄｉｏｄｅ）やＴＦＴ（Ｔｈｉｎ  Ｆｉｌｍ  Ｔｒａｎｓｉｓｔｏｒ）等のアクティブ素子（能動素子）を用いた液晶パネルであっても良い。
【００２１】
（１）セル構造
図２に示すように、液晶パネル２００は、ガラス板や合成樹脂板等からなる透明な第１の基板２１１を基体とするカラーフィルタ基板２１０と、これに対向して、実質的に同様の構成を有する第２の基板２２１を基体とする対向基板２２０とが、接着剤等のシール材２３０を介して貼り合わせられて構成されていることが好ましい。そして、カラーフィルタ基板２１０と、対向基板２２０とが形成する空間であって、シール材２３０の内側部分に対して、開口部２３０ａを介して液晶材料２３２を注入した後、封止材２３１にて封止されてなるセル構造を備えていることが好ましい。
【００２２】
（２）配線パターン
図２に示すように、第１の基板２１１の内面（第２の基板２２１に対向する表面）上に、並列した複数のストライプ状の透明電極２１６を形成し、第２の基板２２１の内面上には、当該透明電極２１６に直交する方向に並列した、複数のストライプ状の透明電極２２２を形成することが好ましい。また、透明電極２１６を、配線２１８Ａに対して導電接続するとともに、もう一方の透明電極２２２を、配線２２８に対して導電接続することが好ましい。
そして、透明電極２１６と透明電極２２２とは相互に直交するため、その交差領域がマトリクス状に配列された多数の画素を構成し、これら多数の画素の配列が、全体として液晶表示領域Ａを構成することになる。
なお、配線パターンとは、透明電極２１６および２２２や、配線２１８、あるいは端子等を含み、基板上に設けられる導電部位を指す。
【００２３】
また、第１の基板２１１は、第２の基板２２１の外形よりも外側に張り出してなる基板張出部２１０Ｔを有し、この基板張出部２１０Ｔ上には、配線２１８Ａ、配線２２８に対して、シール材２３０の一部で構成される上下導通部を介して導電接続された配線２１８Ｂ、および、独立して形成された複数の配線パターンからなる入力端子部２１９が形成されていることが好ましい。
また、基板張出部２１０Ｔ上には、これら配線２１８Ａ、２１８Ｂおよび入力端子部２１９に対して導電接続されるように、液晶駆動回路等を内蔵した半導体素子２６１が実装されていることが好ましい。
さらに、基板張出部２１０Ｔの端部には、入力端子部２１９に導電接続されるように、半導体素子としての駆動用ＩＣおよび後述するフレキシブル配線基板２６３が電気接続されていることが好ましい。
【００２４】
（３）駆動用ＩＣ
▲１▼駆動用ＩＣ
液晶パネルを駆動できる半導体素子（ＩＣ）であれば、特にその態様は制限されるものではなく、例えば、その個数についても、図１（ａ）および（ｂ）に示すように、一つであっても、あるいは二つ以上であっても良い。
【００２５】
▲２▼測定部
図１（ａ）に例示するように、回路基板１４には、フレキシブル回路基板１６上に予め実装してある駆動用ＩＣ１８が、配線パターン１５を介して、電気接続してあり、測定部２１を含む駆動用ＩＣ１８によって、接続抵抗測定機能を有効に発揮することができる。
また、図１（ｂ）に例示するように、測定部２１を含む駆動用ＩＣ１８が、回路基板１４に形成された配線パターン１５に直接的に電気接続された電気光学パネル１０であっても良い。
すなわち、図１（ａ）および（ｂ）に示すように、画像表示部１２、例えば、ガラス基板に近接した位置に設けてある駆動用ＩＣ１８内に、測定部２１が備えてあることが好ましい。
この理由は、電気光学装置や電子機器に組み入れられる前に、測定部によって、駆動用ＩＣと、回路基板上に設けられた配線パターンとの間の接続抵抗を容易かつ迅速に測定することができるためである。
したがって、かかる接続抵抗測定の結果から、電気光学パネルを組み込んだ電気光学装置や電子機器の使用にあたっての長期信頼性を正確に予測することができるようになる。また、このように駆動用ＩＣ内に、測定部が備えてあるため、特定の設置場所や配線方法をとらずに、低コストで、接続抵抗測定機能を有する駆動用ＩＣを提供することができる。
【００２６】
また、接続抵抗測定機能を発現する上での態様は特に制限されるものではないが、例えば、測定部２１は、図１（ａ）および（ｂ）に示すように、接続抵抗測定端子１９、２０を介して、配線パターン１５と、駆動用ＩＣ１８との間の接続抵抗を測定するための電気回路であることが好ましい。また、接続抵抗測定端子１９、２０については、例えば、バンプを有する電極であることが好ましい。
この理由は、通常の構成の接続構造において、特定の電気回路によって接続抵抗を測定することにより、得られた接続抵抗に関する情報を、実際の接続端子において推定できるとともに、容易かつ迅速に処理することができるためである。したがって、かかる接続抵抗に関する情報により、電気光学パネルを含む電気光学装置や電子機器の使用上の長期信頼性をより正確に予測することができる。
なお、さらに、厳しい条件において、電気光学装置や電子機器の使用上の長期信頼性を予測するためには、図１（ａ）および（ｂ）に示す接続抵抗測定端子１９、２０の大きさ（面積）を、駆動用ＩＣ１８の入出力端子の大きさ（面積）よりも小さくすることが好ましい。
【００２７】
また、接続抵抗測定機能を発現するにあたり、図１（ａ）および（ｂ）に示すように、測定部２１が複数個備えてあり、それらによって測定された複数の接続抵抗に関する数値を平均化し、その平均化された接続抵抗に関する数値に基づいて、接続抵抗の異常が検知されることが好ましい。
この理由は、このように構成することにより、駆動用ＩＣと、回路基板上に設けられた配線パターンとの間に複数の接続不良箇所があったとしても、容易かつ迅速に認識することができるためである。また、平均化された接続抵抗に関する数値に基づいて、接続抵抗の異常を検知するため、異常表示の精度をより向上させることができるためである。
【００２８】
また、接続抵抗測定機能を発現するにあたり、接続抵抗測定端子が、駆動用ＩＣの入出力端子の一部を兼用していることが好ましい。すなわち、接続抵抗測定端子と、駆動用ＩＣの入出力端子とが同一構成であって、兼用の端子は、さらに測定部を備えていることが好ましい。
この理由は、接続抵抗測定端子が、駆動用ＩＣの入出力端子の一部としても機能することにより、単位面積あたりの駆動用ＩＣの入出力端子数を減少させることなく、接続抵抗測定端子を設けることができるためである。
なお、後述するように、接続抵抗測定回路と、駆動用ＩＣへの入出力回路との間の切替スイッチを設けて、接続抵抗測定端子を駆動用ＩＣの入出力端子の一部に兼用させることも好ましいし、あるいは、接続抵抗を測定する回路を外部に設けて、接続抵抗を測定する際にのみ、当該測定回路を使用することも好ましい。
【００２９】
また、接続抵抗測定機能を発現するにあたり、図４（ａ）および（ｂ）に示すように、測定部が、接続抵抗測定回路（Ａ１−Ａ３−Ｂ３−Ｂ１）と、駆動用ＩＣへの入出力回路（Ａ１−Ａ２、Ｂ２−Ｂ１）との間に、それぞれ切替スイッチＳ１、Ｓ２を備えていることが好ましい。すなわち、接続抵抗測定を測定する場合には、スイッチＳ１、Ｓ２によって、それぞれ端子Ａ１とＡ３、および端子Ｂ１とＢ３を接続し、接続抵抗測定回路（Ａ１−Ａ３−Ｂ３−Ｂ１）を構成することが好ましい。また、駆動用ＩＣへの入出力回路として、機能させる場合には、スイッチＳ１、Ｓ２によって、それぞれ端子Ａ１とＡ２、および端子Ｂ１とＢ２を接続し、二つの入出力回路（Ａ１−Ａ２、Ｂ２−Ｂ１）を構成することが好ましい。
この理由は、このように構成することにより、駆動用ＩＣの入出力端子数を減少させることなく、切替スイッチによって、接続抵抗測定端子にすることもできるし、駆動用ＩＣの入出力端子とすることができるためである。また、このように構成することにより、駆動用ＩＣの入出力端子の全ての接続抵抗を容易かつ迅速に測定することができるためである。
【００３０】
また、接続抵抗測定機能を発現するにあたり、図１（ａ）および（ｂ）に示すように、接続抵抗測定端子１９、２０が、駆動用ＩＣ１８の一つ以上の角部や両端部に設けてあることが好ましい。
この理由は、このように構成することにより、駆動用ＩＣの大きさや内部回路配置を大きく変えることが無く、コンパクトな設計の測定部を有する駆動用ＩＣを提供することができるためである。また、駆動用ＩＣの角部や両端部においては応力が集中しやすいために、そこの箇所で接続不良が生じ易いが、このような箇所に測定部を有することにより、迅速かつ厳格に判断することができるためである。
【００３１】
▲３▼温度検知手段を含む温度補償回路
また、図５に示すように、接続抵抗測定機能を容易に発現し、長寿命性をさらに正確に判断するために、あるいは、画像表示に対する温度補償機能を発揮できるために、画像表示部、例えば、ガラス基板に近接した位置に設けてある駆動用ＩＣ１８内に、温度検知手段２２を含む温度補償回路を備えることが好ましい。
この理由は、このように構成することにより、測定される接続抵抗の値が環境温度にしたがって多少変動したとしても、接続抵抗の値を補償して、長寿命性を正確に判断することができるためである。また、画像表示部において、メモリー性液晶等の電気光学材料を用いた場合であっても、環境温度の変化にかかわらず、画像表示において一定のコントラストが得られるためである。また、このように構成することにより、特定の設置場所や配線方法をとらずに、低コストで、画像表示部に対して十分な温度補償を施すことができるためである。
【００３２】
また、温度補償機能を発現させるためには、温度補償手段によって、例えば、図６（ａ）〜（ｃ）に示すように、駆動信号の印加電圧（Ｖ）または印加時間（μｓ）、あるいは両方の因子（Ｖ×μｓ）を変化させることが好ましい。
この理由は、このように構成することにより、検知された温度情報をもとに、印加電圧または印加時間（パルス幅）、あるいは両方の因子を変化させることにより、画像表示のコントラストを容易に制御することができるためである。
したがって、例えば、環境温度が低温側に移動した場合には、例えば、３０℃以下になった場合には、図６（ａ）に示すように、高温側の場合と比較して、駆動信号の印加電圧の値を大きくしたり、図６（ｂ）に示すように、駆動信号の印加時間を増加（パルス幅を長く）するように設定したりすることが好ましい。逆に、環境温度が高温側に移動した場合、例えば、３０℃を超えた場合には、低温側の場合と比較して、図６（ａ）に示すように、駆動信号の印加電圧の値を小さくしたり、図６（ｂ）に示すように、駆動信号の印加時間を減少（パルス幅を短く）するように設定したりすることが好ましい。
さらに、図６（ｃ）に示すように、環境温度にしたがって、駆動信号の印加電圧（Ｖ）および印加時間（μｓ）の両方の因子（Ｖ×μｓ）を一定割合で変化させることも好ましい。
【００３３】
また、図７に、温度依存性抵抗を含む温度補償回路およびその警告回路を示す。
より具体的には、温度依存性抵抗５６の温度特性を利用し、温度依存性抵抗５６および抵抗５７で分圧された第１の電圧Ｖ１と、抵抗５８および抵抗５９で分圧された第２の電圧Ｖ２と、を第１のトランジスタ６１および第２のトランジスタ６２から構成される比較回路６７において比較する。次いで、その出力を電圧Ｖ３として、ＣＰＵ６５に送り、当該ＣＰＵ６５で判断処理して、環境温度が所定温度以上か否かを判断する。
そして、所定温度以上であると認識すると液晶表示装置５２に対して、警告を表示する信号を送るとともに、半導体スイッチ５５をオフにして、液晶表示装置５２に対する通電を停止するように構成されていることが好ましい。
ただし、かかる温度依存性抵抗を含む温度補償回路およびその警告回路は、一例であって、別の種々の態様を採ることができる。
【００３４】
さらに、図７に示す温度補償回路５０における温度依存性抵抗に起因した電圧変化を図８に示す。
より具体的には、第１の電圧Ｖ１は、図８中、環境温度に対応して、比例的に変化し、第２の電圧Ｖ２は、環境温度が変化したとしてもほぼ一定値であって、さらに、ＣＰＵに対する電圧Ｖ３が、環境温度に対応して臨界的に変化することが好ましい。
ただし、これも一例であって、温度依存性抵抗の構成材料を変えたり、形態を変えたりすることにより、種々の態様を採ることができる。
【００３５】
（４）位相差板および偏光板
液晶パネル２００において、図２に示すように、第１の基板２１１の外面の所定位置に、位相差板（１／４波長板）２４０および偏光板２４１が配置されていることが好ましい。
そして、第２の基板２２１の外面においても、鮮明な画像表示が認識できるように、位相差板（１／４波長板）２５０および偏光板２５１が配置されていることが好ましい。
【００３６】
２．カラーフィルタ基板
（１）基本的構成
カラーフィルタ基板２１０は、図３に示すように、基本的に、ガラス基板２１０と、着色層２１４と、透明電極２１６と、配向膜２１７と、から構成してあることが好ましい。
また、カラーフィルタ基板２１０において、反射機能が必要な場合、例えば、携帯電話等に使用される反射半透過型の液晶表示装置においては、ガラス基板２１０と、着色層２１４との間に、図３に示すように、反射層２１２を設けることが好ましい。
さらに、カラーフィルタ基板２１０において、図３に示すように、その表面を平坦化するための表面保護層３１５や、電気絶縁性を向上させるための絶縁層を設けることも好ましい。
【００３７】
（２）反射層
図３に示すように、第１の基板２１１の表面には、反射層２１２が形成されている。この反射層２１２は、アルミニウム、アルミニウム合金、クロム、クロム合金、銀、銀合金などからなる金属薄膜と、反射基部とから構成することが好ましい。また、反射層２１２には、画素毎に、反射面を有する反射部２１２ｒと、開口部２１２ａとが設けられていることが好ましい。
そして、反射層２１２の上には、画素毎に着色層２１４が形成され、その上をアクリル樹脂やエポキシ樹脂などの透明樹脂からなる表面保護層（オーバーコート層）３１５が被覆していることが好ましい。この着色層２１４と表面保護層３１５とによってカラーフィルタが形成されることになる。
また、反射層は、基材の表面に独立して形成された複数の凸部を有する第１の反射基部と、その上に形成された比較的なだらかな表面状態を有する連続層からなる第２の反射基部と、さらにその上に形成された金属薄膜からなる反射膜と、を含むことが好ましい。
【００３８】
（３）着色層
また、図３に示される着色層２１４は、通常、透明樹脂中に顔料や染料等の着色材を分散させて所定の色調を呈するものとされている。着色層の色調の一例としては原色系フィルタとしてＲ（赤）、Ｇ（緑）、Ｂ（青）の３色の組合せからなるものがあるが、これに限定されるものではなく、Ｙ（イエロー）、Ｍ（マゼンダ）、Ｃ（シアン）等の補色系や、その他の種々の色調で形成することができる。
また、図３に示すように、画素毎に形成された着色層２１４の間の画素間領域に、黒色遮光膜（ブラックマトリクス或いはブラックマスク）２１４ＢＭが形成してあることが好ましい。
この黒色遮光膜２１４ＢＭとしては、例えば黒色の顔料や染料等の着色材を樹脂その他の基材中に分散させたものや、Ｒ（赤）、Ｇ（緑）、Ｂ（青）の３色の着色材を共に樹脂その他の基材中に分散させたものなどを用いることができる。
なお、着色層の配列パターンとして、ストライプ配列や、斜めモザイク配列、あるいは、デルタ配列等の種々のパターン形状を採用することができる。
【００３９】
（４）表面保護層
図３に示すように、着色層２１４上に、表面保護層３１５が設けてあることが好ましい。このように表面保護層３１５を設けることにより、着色層２１４自体、ひいては着色層２１４を含むカラーフィルタ基板２１０の耐久性や耐熱性等を著しく向上させることができる。
【００４０】
（５）透明電極および配向膜
図３に示すように、表面保護層３１５の上には、ＩＴＯ（インジウムスズ酸化物）等の透明導電体からなる透明電極２１６を形成することが好ましい。かかる透明電極２１６は、上下方向に伸びる帯状に形成されているが、複数の透明電極２１６が並列したストライプ状に構成されていることが好ましい。
また、透明電極２１６の上には、ポリイミド樹脂等からなる配向膜２１７が形成されていることが好ましい。
この理由は、このように配向膜２１７を設けることにより、カラーフィルタ基板２１０を液晶表示装置等に使用した場合に、液晶材料の電圧駆動を容易に実施することができるためである。
【００４１】
（６）対向基板
また、図３に示されるカラーフィルタ基板２１０と対向する対向基板２２０は、ガラス等からなる第２の基板２２１上に、第１の基板と同様の透明電極２２２、ＳｉＯ２やＴｉＯ２などからなる硬質保護膜２２３や配向膜２２４を順次積層させたものであることが好ましい。
なお、このカラーフィルタ基板２１０の例では、着色層が第１の基板に設けてあるが、着色層を、かかる対向基板２２０の第２の基板２２１上に設けることも好ましい。
【００４２】
［第２実施形態］
第２実施形態は、回路基板と、当該回路基板上に設けられた配線パターンと、を含む電気光学パネルの表示方法であって、配線パターンと電気接続された駆動用ＩＣを有するとともに、当該駆動用ＩＣの内部には、配線パターンと駆動用ＩＣとの間の接続抵抗を測定する測定部が備えてあり、当該測定部によって、接続抵抗測定端子を介して、配線パターンと、駆動用ＩＣとの間の接続抵抗を測定し、測定された接続抵抗が、所定値未満の場合には電気光学パネルの画像表示部に画像が表示され、所定値以上の場合には接続抵抗の異常が検知されることを特徴とする電気光学パネルの表示方法である。
【００４３】
１．駆動用ＩＣ
測定部が備えてある駆動用ＩＣは、第１の実施形態において説明したものと同様の内容とできることから、ここでの説明を省略する。
【００４４】
２．接続抵抗の測定方法
（１）接続抵抗
電気光学パネルは、駆動用ＩＣの内部に備えられた測定部を使用して測定される接続抵抗が、所定値未満であることが好ましい。すなわち、接続抵抗測定機能を有効に発揮して、電気光学装置や電子機器に組み入れられる前に、電気光学パネルにおける接続状態を正確に判断することが好ましい。
例えば、１０Ω・ｃｍ以上の値の場合には、電気光学パネルにおける接続状態を否と判断し、電気光学装置や電子機器に組み込むことを中止することが好ましい。
したがって、電気光学パネルの不良品を、電気光学装置や電子機器に組み込むおそれが少なくなり、結果として、電気光学装置や電子機器の動作上の長期信頼性を得ることができる。
【００４５】
また、接続抵抗を測定するに際して、電気光学パネルにおける測定部を複数個備えてあり、それらによって測定された複数の接続抵抗に関する数値を平均化し、その平均化された接続抵抗に関する数値に基づいて、接続抵抗の異常が検知されることが好ましい。
この理由は、このように接続抵抗を測定することにより、電気光学パネルの不良品を、電気光学装置や電子機器に組み込むおそれが少なくなり、結果として、電気光学装置や電子機器の動作上の長期信頼性を得ることができるためである。
【００４６】
また、接続抵抗を測定するに際して、環境温度を室温よりも高くする、例えば、４０℃以上の温度にすることが好ましい。
この理由は、このように環境温度を高くした状態で接続抵抗を測定することにより、実測される接続抵抗がより高くなったり、不安定になったりする場合があるためである。したがって、電気光学パネルの不良品の判別がより正確になって、電気光学装置や電子機器に組み込むおそれが少なくなり、結果として、電気光学装置や電子機器の動作上の長期信頼性を得ることができる。
【００４７】
（２）電気回路
接続抵抗を測定するに際して、接続抵抗測定端子を介して、配線パターンと、駆動用ＩＣとの間の接続抵抗を測定するための電気回路およびその温度補償回路を利用することが好ましい。
例えば、測定部が、温度依存性抵抗またはサーミスタを含んでおり、当該温度依存性抵抗またはサーミスタにおける抵抗値変化に対応させて、接続抵抗に関する数値を修正するための電気回路を利用することが好ましい。
この理由は、このような電気回路を利用して、接続抵抗を測定することにより、電気光学パネルの不良品の判断がより正確になって、結果として、電気光学装置や電子機器の動作上の長期信頼性を得ることができるためである。
【００４８】
３．異常検知
異常を検知した際の表示の方法は特に制限されるものではないが、例えば、電気光学パネルに、異常検知の画像表示をすることが好ましい。また、音声による異常表示を組み合わせることも好ましい。
すなわち、このように実施することにより、電気光学装置や電子機器に組み入れられる前に、駆動用ＩＣと、回路基板の配線パターンとの間の接続抵抗を測定し、異常検知の有り無しから、電気光学パネルの良否を容易かつ迅速に判断することができるためである。
【００４９】
［第３実施形態］
第３実施形態は、電気光学パネルを、電子機器における画像表示装置として用いた場合について具体的に説明する。
【００５０】
（１）電子機器の概要
図９は、本実施形態の電子機器の全体構成を示す概略構成図である。この電子機器は、液晶パネル２００と、これを制御するための制御手段１２００とを有している。また、図９中では、液晶パネル２００を、パネル構造体２００Ａと、半導体素子（ＩＣチップ）等で構成される駆動回路２００Ｂと、に概念的に分けて描いてある。また、制御手段１２００は、表示情報出力源１２１０と、表示処理回路１２２０と、電源回路１２３０と、タイミングジェネレータ１２４０とを有することが好ましい。
また、表示情報出力源１２１０は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等からなるメモリーと、磁気記録ディスクや光記録ディスク等からなるストレージユニットと、デジタル画像信号を同調出力する同調回路とを備え、タイミングジェネレータ１２４０によって生成された各種のクロック信号に基づいて、所定フォーマットの画像信号等の形で表示情報を表示情報処理回路１２２０に供給するように構成されていることが好ましい。
【００５１】
また、表示情報処理回路１２２０は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路２００Ｂへ供給することが好ましい。そして、駆動回路２００Ｂは、走査線駆動回路、データ線駆動回路および検査回路を含むことが好ましい。また、電源回路１２３０は、上述の各構成要素にそれぞれ所定の電圧を供給する機能を有している。
そして、本実施形態の電子機器であれば、駆動用ＩＣの内部に、温度検知手段を含む温度補償素子が備えてあることから、メモリー性液晶等の電気光学材料を用いた場合であっても、周囲温度にかかわらず、一定のコントラストを有効に得ることができる。
【００５２】
（２）具体例
本発明に係る電気光学装置としての液晶表示装置、有機エレクトロルミネッセンス装置、無機エレクトロルミネッセンス装置等や、プラズマディスプレイ装置、ＦＥＤ（フィールドエミッションディスプレイ）装置、ＬＥＤ（発光ダイオード）表示装置、電気泳動表示装置、薄型のブラウン管、液晶シャッター、デジタルマイクロミラーデバイス（ＤＭＤ）を用いた装置等を適用することが可能な電子機器としては、パーソナルコンピュータや、携帯電話機のほかにも、液晶テレビや、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた電子機器などが挙げられる。
【００５３】
さらに、本発明の電気光学装置および電子機器は、上述の図示例にのみ限定されるものではなく、本発明の要旨を逸脱しない範囲内において種々変更を加え得ることは勿論である。例えば、上記各実施形態に示す液晶パネルは単純マトリクス型の構造を備えているが、ＴＦＴ（薄膜トランジスタ）やＴＦＤ（薄膜ダイオード）等のアクティブ素子（能動素子）を用いたアクティブマトリクス方式の電気光学装置にも適用することができる。
【図面の簡単な説明】
【図１】（ａ）〜（ｂ）は、第１実施形態における接続抵抗測定端子および接続抵抗測定手段が備えてある駆動用ＩＣを使用した電気光学パネルを説明するために供する図である。
【図２】液晶パネルの構造を説明するために供する斜視図である。
【図３】液晶パネルの構造を説明するために供する断面図である。
【図４】（ａ）〜（ｂ）は、接続抵抗測定端子と、入出力端子との切替スイッチを説明するために供する図である。
【図５】（ａ）〜（ｂ）は、温度検知手段を含む温度補償素子が備えてある駆動用ＩＣを使用した電気光学パネルを説明するために供する図である。
【図６】（ａ）〜（ｃ）は、それぞれ温度補償素子による駆動信号の印加電圧または印加時間の変化の様子を説明するために供する図である。
【図７】温度依存性抵抗を含む温度補償回路およびその警告回路を説明するために供する図である。
【図８】温度依存性抵抗を含む温度補償回路および警告回路における電圧変化を説明するために供する図である。
【図９】電子機器の全体構成を示す概略構成図である。
【図１０】従来の電気光学パネルと、フレキシブル基板とからなる電気光学ユニットを説明するために供する図である。
【符号の説明】
１０：電気光学パネル、１２：画像表示部、１４：回路基板、１５：配線パターン、１８：駆動用ＩＣ、１９：入力端子部、２０：出力端子部、２１：接続抵抗測定端子および接続抵抗測定手段、２２：温度補償素子、２００：液晶パネル、２１０：カラーフィルタ基板、２１１：第１基板、２１２：反射層、２１２ａ：開口部、２１２ｒ：反射部、２１３：凹部、２１４：着色層、２１５ａ：開口部、２１６：透明電極、２２０：対向基板、２２１：第２基板、２２２：透明電極、２６１：駆動用ＩＣ、３１５：表面保護層
【図１】
2004219155.tif 000003
【図２】
2004219155.tif 000004
【図３】
2004219155.tif 000005
【図４】
2004219155.tif 000006
【図５】
2004219155.tif 000007
【図６】
2004219155.tif 000008
【図７】
2004219155.tif 000009
【図８】
2004219155.tif 000010
【図９】
2004219155.tif 000011
【図１０】
2004219155.tif 000012